(57)【要約】      （修正有）【課題】居住環境に出没するハト、スズメなどの比較的小型の鳥類、カラスなどの比較的大型の鳥類、および猫の全てに対して忌避効果を有する忌避具を提供する。【解決手段】シート材２と、シート材２の表面に点状に設けた忌避用粘着部３であって、水洗により粘着力が復元するアクリル樹脂系粘着材からなる忌避用粘着部３と、シート材２を鳥類または猫の通り道や休憩場所に固定するための固定手段４と、を備えた。シート材２として水はけのよい素材からなるもの、シート材２又は忌避用粘着部３として忌避対象の鳥類または猫が識別可能な色に着色したもの、シート材２又は忌避用粘着部３として忌避対象の鳥類または猫の忌避臭を臭い付けしたもの、を用いることができる。【選択図】図１
0003220285.tif 000002
【実用新案登録請求の範囲】
【請求項１】
シート材と、
前記シート材の表面に点状に設けた忌避用粘着部であって、水洗により粘着力が復元するアクリル樹脂系粘着材からなる忌避用粘着部と、
前記シート材を鳥類または猫の通り道や休憩場所に固定するための固定手段と、を備えた鳥類または猫の忌避具。
【請求項２】
前記シート材として水はけのよい素材からなるものを用いた請求項１記載の鳥類または猫の忌避具。
【請求項３】
前記シート材又は忌避用粘着部として、忌避対象の鳥類または猫が識別可能な色に着色したものを用いた請求項１または２に記載の鳥類または猫の忌避具。
【請求項４】
前記シート材又は忌避用粘着部として、忌避対象の鳥類または猫の忌避臭を臭い付けしたものを用いた請求項１〜３のいずれか１項記載の鳥類または猫の忌避具。
【請求項５】
前記固定手段として、忌避用粘着部と同じ素材からなる固定用粘着部をシート材の裏面に設けた請求項１〜４のいずれか１項記載の鳥類または猫の忌避具。
【考案の詳細な説明】
【技術分野】
【０００１】
本考案は、ハト、スズメなどの小型の鳥類、カラスなどの比較的大型の鳥類および猫に対する忌避具に関する。
【背景技術】
【０００２】
マンション等の集合住宅、神社やお寺、或いは種々の公共施設（以下、ヒトの居住環境ともいう）において、カラス、ハト、スズメなどの鳥類の糞害が問題になっている。例えば、マンション等の集合住宅では、ベランダに飛来したハトやカラスが、ベランダの床面や手摺り、手摺りに干した布団や洗濯物等に脱糞し、居住者に多大な迷惑をかけるという問題がある。また、カラスにおいては、ゴミ収集場でゴミを漁って、ゴミを散らかし、住環境を悪化させるという問題もある。
【０００３】
このような鳥類の問題を解決するため、本考案者は、ハトやスズメなどの比較的小型な鳥類に対して忌避効果が高い忌避具として、シート材と、シート材の表面に線状或いは点状に設けた忌避用粘着部であって、水洗により粘着力が復元する感圧性粘着材からなる忌避用粘着部と、シート材を小動物の通り道や休憩場所に固定するための固定手段とを備え、忌避用粘着部を線状或いは点状に設けることにより、その接着力を小さく設定して、忌避用粘着部を人手により容易に取り外すことができるように構成した小動物の忌避具（特許文献１）、また、カラスなどの比較的大型な鳥類に対しても忌避効果が高い忌避具として、シート材の表面側に、鳥類の足に対する付着用の粘着部であって水洗により粘着力が復元する感圧性粘着材からなる表面側粘着部を線状又は点状に形成し、前記シート材の裏面側に鳥類飛来場所の設置面に対する固定用の裏面側粘着部を形成した鳥類の忌避具において、前記鳥類の足に対する表面側粘着部の粘着力を、設置面に対する裏面側粘着部の粘着力よりも大きく設定するとともに、設置面に対する裏面側粘着部の粘着力及び忌避具の総重量を、鳥類がその足に忌避具を付着させたまま、設置面から忌避具を引き剥がして飛び立つことができる粘着力及び総重量に設定したことを特徴とする鳥類の忌避具（特許文献２）を提案している。
【０００４】
一方、ヒトの居住環境では、鳥類と同様に、猫による被害も発生している。従来から、猫に対して忌避効果を有する成分を含む薬剤が提案されている（特許文献３、４）。これらの薬剤は、忌避効果を有する成分に由来するにおいを利用して、薬剤を散布した付近への猫の接近を抑えるものである。
しかしながら、前記薬剤を散布した居住環境では、においに敏感な居住者にとっても違和感や嫌悪感を感じることがあり、場合によっては日常生活を過ごすのにストレスを受ける可能性がある。
【０００５】
また、ハト、スズメなどの比較的小型の鳥類、カラスなどの比較的大型の鳥類、および猫が出没する居住環境の位置については重複しているケースが多いものの、これらの動物全てに対して忌避効果のある忌避具については知られておらず、従来では、各動物に対応した忌避具をそれぞれ設置するコストがかかるために、居住者の負担となっていた。
【先行技術文献】
【特許文献】
【０００６】
【特許文献１】特開平１１−３４６６３４号公報
【特許文献２】特開２００６−３４０６９１号公報
【特許文献３】特開２００６−９６６８１号公報
【特許文献４】特開２００２−１５４９１３号公報
【考案の概要】
【考案が解決しようとする課題】
【０００７】
本考案は前述の状況に鑑み、居住環境に出没するハト、スズメなどの比較的小型の鳥類、カラスなどの比較的大型の鳥類、および猫に対して忌避効果を有する忌避具を提供することを目的とする。
【課題を解決するための手段】
【０００８】
本考案に係る鳥類または猫の忌避具（以下、本考案の忌避具ともいう）は、シート材と、前記シート材の表面に点状に設けた忌避用粘着部であって、水洗により粘着力が復元するアクリル樹脂系粘着材からなる忌避用粘着部と、前記シート材を鳥類または猫の通り道や休憩場所に固定するための固定手段と、を備えたものである。
【０００９】
本考案の忌避具では、前記シート材として水はけのよい素材からなるものを用いたものでもよい。
【００１０】
本考案の忌避具では、前記固定手段として、忌避用粘着部と同じ素材からなる固定用粘着部をシート材の裏面に設けたものでもよい。
【考案の効果】
【００１１】
本考案の忌避具は、ハト、スズメなどの比較的小型の鳥類、カラスなどの比較的大型の鳥類、さらには猫（以下、鳥類・猫という）の通り道や休憩場所に固定手段を介して固定して使用することになるが、鳥類・猫がシート材の表面に設けた点状の忌避用粘着部を踏むと、それが鳥類・猫の足に貼り付いて足の移動がある程度拘束され、２〜３回この様な経験をすると、忌避具付近に鳥類・猫が寄りつかなくなる。また、忌避用粘着部は、シート材の表面に点状に設けられているので、鳥類・猫の足の移動をある程度拘束するものの、完全に拘束する訳ではないので、鳥類・猫が前のめりに倒れたりすることが抑制され、万一倒れた場合でも、比較的容易に剥がすことが可能となる。特に、点状のアクリル樹脂系粘着材からなる忌避用粘着部であることで、ハト、スズメなどの比較的小型の鳥類、カラスなどの比較的大型の鳥類、さらには猫のようなより大型の動物に対しても忌避効果を奏することができる。
更に、水洗により粘着力が復元するアクリル樹脂系粘着材からなる忌避用粘着部を用いているので、塵や埃などで忌避用粘着部が汚れてその粘着力が低下しても、水洗いすることにより何度でも使用できる。また、雨のあたる所に設置した場合には、雨水でも表面の汚れが自然に浄化されて、粘着力が復元する。
【００１２】
本考案の忌避具では、前記シート材として水はけのよい素材からなるものを用いることで、屋外にこの忌避具を設置する場合には、忌避用粘着部が雨水に晒されることも考えられるが、感圧性粘着材は、通常その表面に水が付着すると粘着力が極端に低下するので、シート材として水はけの良い素材からなるものを使用することで、忌避用粘着部の表面の乾燥を促進することが可能となる。
【００１３】
本考案の忌避具では、前記シート材又は忌避用粘着部として、忌避対象の鳥類または猫が識別可能な色に着色したものを用いることで、塵や埃などが忌避用粘着部に付着してその粘着力が低下しても、忌避具を一度経験した鳥類または猫はそれを学習して避けようとするので、一定の忌避効果を得ることが可能となる。
【００１４】
本考案の忌避具では、前記シート材又は忌避用粘着部として、忌避対象の鳥類または猫の忌避臭を臭い付けしたものを用いることで、鳥類または猫が忌避具を避けようとするので、忌避用粘着部の粘着力が低下しても、一定の忌避効果を得ることが可能となる。また、忌避臭により、鳥類または猫を忌避することが可能となり、忌避効果を一層向上できる。
【００１５】
本考案の忌避具では、前記固定手段として、忌避用粘着部と同じ素材からなる固定用粘着部をシート材の裏面に設けることで、忌避用粘着部をシート材に形成するときに、同時に固定手段としての固定用粘着部を形成することが可能となり、忌避具の製造コストを低減できるとともに、水洗いにより固定用粘着部の粘着力を復元できるので好ましい。また、固定用粘着部を忌避用粘着部として活用することが可能となり、例えばシート材の単位面積当たりにおける忌避用粘着部と固定用粘着部との夫々の面積比に差を持たせ、例えば忌避用粘着部をハト用の忌避用粘着部として使用し、固定用粘着部を雀用の忌避用粘着部として使用したりすることが可能となる。
【図面の簡単な説明】
【００１６】
【図１】忌避具１の斜視図
【図２】剥離紙５、６を貼り付けた状態での図１のＩＩ−ＩＩ線断面図
【図３】（ａ）〜（ｄ）は他の構成の忌避具１Ａ、１Ｂ、１Ｃ、１Ｄの平面図
【図４】忌避用粘着部３に対する忌避対象の動物Ｂの足Ｆの接触部分の説明図
【図５】忌避具１の使用例の説明図
【図６】忌避具１の他の使用例の説明図
【考案を実施するための形態】
【００１７】
次に、次に本考案の実施の形態を添付図面に基づき詳細に説明するが、本考案は、添付図面に示された形態に限定されず実用新案登録請求の範囲に記載の要件を満たす実施形態の全てを含むものである。
【００１８】
図１、図２に示すように、忌避具１は、シート材２と、シート材２の表面に点状に設けた感圧性粘着材からなる忌避用粘着部３と、シート材２の裏面に設けた固定用粘着部４とから構成され、鳥類または猫の通り道や休憩場所に固定用粘着部４を介して固定して使用される。
なお、図２に示す符号５、６は忌避用粘着部３及び固定用粘着部４にそれぞれ貼り付けた剥離紙であり、忌避具１の使用時にはこの剥離紙５、６を取り除いて、忌避用粘着部３及び固定用粘着部４を外部に露出させた状態で使用することになる。
【００１９】
シート材２としては、紙、合成繊維や天然繊維などからなる織布や不織布や網状部材、合成樹脂シートや泡入樹脂シートなどからなるシート材を用いることが可能である。特に、忌避用粘着部３及び固定用粘着部４はその表面に水分が付着すると粘着力が低下するので、表面に付着した水が効率的に乾燥するように、網状部材や連続気泡を有する水はけの良い素材からなるものが好ましい。網状部材としては、ポリアミド系、ポリエステル系、ポリアクリル系、ポリビニールアルコール系、ポリプロピレン系などの合成繊維を、平織や綾織にしたものを好適に利用できる。また、連続気泡を有するシート材としては、フェノール系、尿素系、メラミン系、アルキド系、ポリエステルイソシアナート系などの熱硬化性樹脂、ポリビニルホルマール、ポリ塩化ビニル、ポリスチレン、ポリエチレンなどの熱可塑性樹脂、エステル、エーテル、ビスコースなどのセルロース誘導体などからなる泡入樹脂シートを好適に使用できる。更に、この忌避具１は、忌避対象の動物（鳥類、猫）に付着して別の場所へ運ばれてもよい場合には、運ばれる先で自然環境を害さないように、生分解性樹脂で構成することも好ましい。例えば、ポリカプロラクトン、ポリ乳酸、ポリビニールアルコールなどの化学合成系の生分解性樹脂や、ポリヒドロキシブチレート・バリレート共重合体などの微生物系の生分解性樹脂や、アセチルセルロースなどの天然物利用系などの生分解性樹脂を好適に利用できる。
【００２０】
図１、２のシート材２の形状は、細長い長方形状に形成したが、忌避具１の設置場所の形状等に応じて任意に設定することも可能である。例えば、汎用性を考慮して、図３（ｂ）〜（ｄ）に示す忌避具１Ｂ〜１Ｄのように、幅広な長方形状のシート材２Ｂや、円板状のシート材２Ｃや、三角形状のシート材２Ｄなど、任意の形状のシート材を採用することができる。また、シート材２は、図示しないが、四角形、五角形、六角形など多角形状に形成してもよい。
また、図示しないが、前記シート材としては、ベランダの手すり、塀の上部等のように比較的狭い箇所に設置することもあるので、帯状のシート材を用いてもよい。
【００２１】
忌避用粘着部３は、水洗により反復使用可能なアクリル樹脂系粘着材で構成されている。アクリル樹脂としては、ポリアクリル酸エステルとポリアクリル酸の共重合体を主成分とする、粘着材として公知のアクリル樹脂であればよい。また、アクリル樹脂系粘着材を構成するアクリル樹脂の形態としては、溶剤型とエマルション型があるが、シート材２の表面に点状の忌避用粘着部３を形成し易い観点から、エマルジョン型のアクリル樹脂が好ましい。
例えば、スプレーガンなどを用いて、液状のエマルジョン型アクリル樹脂をシート材２の表面に点状に含浸させることで、点状の忌避用粘着部３を形成させることができる。
また、忌避用粘着部３は、自身の粘着力でシート材２に固定してもよいし、接着剤等を用いて固定してもよい。
【００２２】
図１、２のように、シート材２の表面には、複数の点状の忌避用粘着部３が配置されている。
本考案において、点状とは、図１に示すように、シート材２の上方向からの形状が略円形状をいう。前記点状には、図示しないが、シート材２の上方向からの形状が略楕円形状、略三角形、略四角形以上の多角形状も含まれる。また、点状の忌避用粘着部３はシート材２の表面で厚みを有しているが、水平方向の断面形状については、例えば、図２に示すように略半円形状であってもよいし、図示しないが、略台形、略四角形などの他の形状でもよい。
【００２３】
前記点状の忌避用粘着部３の配置については、図１、２のように縦横方向に対してランダムに設けてもよいし、図３（ａ）のように縦横方向に対して整列して設けてもよい。また、図１、２、３（ａ）では、点状の忌避粘着部３を３列になるように配置しているが、列数については特に限定はなく、シート材２のサイズに合わせて、より大きな点状の忌避用粘着部３を２列になるように配置してもよいし、より小さな点状の忌避用粘着部３を４列以上になるように配置してもよい。
また、複数の点状の忌避用粘着部３を、例えば、図３（ｂ）のように、格子形状になるように配置したり、図３（ｄ）のように、円形状になるように配置したり、図示しないが三角波やサイン波などの波形状になるように配置したりしてもよい。
【００２４】
また、忌避用粘着部３は、図１、２、３（ａ）のように、略同じ大きさ円形にして設けてもよいが、図３（ｂ）、３（ｃ）のようにそれぞれの忌避用粘着部３の大きさを変化させてもよい。また、図示しないが、隣の固形用粘着部４との間隔をランダムにして、不規則な配置にしてもよい。
【００２５】
本考案の忌避具１では、隣接する忌避用粘着部３の間隔は、忌避対象の動物の足のサイズよりも小さく設定され、例えば、図４に示すように忌避対象の動物（図では鳥類）が忌避具１に踏み込むことで、複数の忌避用粘着部３が前記動物の足に確実に密着するように構成されている。そして、本考案の忌避具１では、忌避用粘着部３が忌避対象の動物の足Ｆに貼り付いた状態で、忌避対象の動物の足がある程度拘束されてこの動物に不快感を与える。
【００２６】
なお、忌避用粘着部３の大きさや隣接する忌避用粘着部３との間隔などの平面サイズは、忌避対象の動物の足に対する忌避用粘着部３の最大粘着力に基づいて設定されている。
具体的には、忌避対象の動物の足に対して忌避用粘着部３が貼り付いた状態で、足を取られて転倒しない程度の粘着力が得られるように、忌避対象の動物の足に対する忌避用粘着部３の最大粘着力を設定し、これに基づいて忌避用粘着部３の大きさ、間隔などの平面サイズを設定することになる。例えば、シート材２の表面に占める忌避用粘着部３の割合を５〜５０％、好ましくは８〜４５％に設定する。
【００２７】
固定用粘着部４は、水洗により反復使用可能な感圧性粘着材で構成されている。具体的には、前記忌避粘着部３で使用したアクリル樹脂系粘着材に加えて、天然ゴム、ＳＢＲ、ポリクロロプレン、ポリイソブチレン、ポリウレタン、塩化ビニールなどを主体にした周知の素材からなるものを使用できる。
【００２８】
また、忌避用粘着部３及び固定用粘着部４は、自身の粘着力でシート材２上に固定してもよいし、接着剤等を介して固定してもよい。
例えば、図１、２では、シート材２の裏面側の両端部には、粘着テープからなる長方形状の固定用粘着部４が粘着固定されている。また、固定用粘着部４の形状は、任意に設定可能で、例えば細長い線状や点状、図３（ａ）〜（ｄ）に示す固定用粘着部４Ａのような円状に形成してもよい。また、図示しないが、固定用粘着部４をシート材２の長さ方向に沿って１条だけ設けてもよいが、２条以上設けることも可能であるし、幅方向に複数条設けたり、三角波やサイン波などの波形状や格子状に形成したり、点状に配置させてもよい。また、忌避用粘着部３よりも表面積を多くして、忌避用粘着部３よりも粘着力を高め、設置面に強力に固定してもよい。更に、忌避用粘着部３とは異なる素材で構成することも可能であるし、感圧性粘着材に代えて、紐やクリップ、吸盤等の固定具を設けてもよい。
【００２９】
本考案の忌避具１の総重量は、地面、路面または板材などに付着させる場合には特に限定はないが、忌避対象の動物が忌避具１を付着させた状態で移動できるように設定される場合には、忌避対象の鳥類が、例えばカラスなどの大型の鳥類の場合には、１ｇ〜１０ｇ好ましくは２ｇ〜５ｇに設定することになる。
【００３０】
また、忌避対象の動物の学習効果を高めて、忌避効果を高めるため、シート材２や粘着部３、４に、忌避対象の動物の嫌がる臭いを放出する忌避剤を担持させたり、シート材２や忌避用粘着部３に着色を施したりすることもできる。前記の嫌がる臭いや着色については、塵や埃などが忌避用粘着部３に付着してその粘着力が低下しても、忌避具１を一度経験した忌避対象の動物がそれを学習して避けようとするので、一定の忌避効果を得ることが可能となる。
また、シート材２の上面又は下面などの外面にアルミ箔のように光を反射する反射シートを、忌避具１を設置した状態で目視可能に貼着してもよい。この場合には、反射シートに太陽光線が反射することでも、忌避対象の動物を威嚇して忌避できる。
【００３１】
次に、本考案の忌避具１の具体的使用方法について説明する。本考案の忌避具１は、忌避対象の動物（鳥類、猫）の通り道や休憩場所に、固定用粘着部４を下側にして設置して使用する。例えば、忌避対象の動物がカラスＢの場合には、図５に示すように、カラスＢがよくとまっているベランダの手すりＲなどの上面Ｐに、固定用粘着部４を介して忌避具１を設置して使用することになる。そして、カラスＢが手すりＲにとまると、カラスＢの足Ｆに忌避用粘着部３が密着して足Ｆが取れ難くなり、カラスＢに不快感を与えてカラスＢの飛来が忌避される。また、固定用粘着部４や忌避用粘着部３が塵や埃で汚れて、粘着力が低下した場合には、忌避具１を取り外して水洗いすることで、その粘着力を復元させ、再度設置して使用する。但し、忌避具１の設置場所は、忌避対象の動物の通り道や休憩場所であれば任意の場所に設置することが可能で、例えば、居住環境周囲の地面、路面、電線や電柱や電線の支持具、或いは建築物の柱や梁などに付着させてもよい。
【００３２】
なお、路面や地面のように表面に凹凸があったり、砂や小石があったりして、前記固定用粘着部４の粘着効果が発揮し難い場所については、金属製、樹脂製または木製の板材を地面や路面におき、前記板材の表面に本考案の忌避具１の固定用粘着部４を下側にして付着させることで設置することができる。例えば、図６に示すように、長軸に沿って本考案の忌避具１を複数個付着させた板材８を、路面上にあるごみ置き場７の周囲に配置して使用することができる。
【符号の説明】
【００３３】
１、１Ａ、１Ｂ、１Ｃ、１Ｄ  忌避具
２、２Ｂ、２Ｃ、２Ｄ  シート材
３  忌避用粘着部
４、４Ａ、  固定用粘着部
５  剥離紙
６  剥離紙
７  ごみ置き場
８  板材
Ｂ  忌避対象の動物（カラス）
Ｂ１  忌避対象の動物（ネコ）
Ｒ  手すり
Ｐ  設置面（上面）
【図１】
0003220285.tif 000003
【図２】
0003220285.tif 000004
【図３】
0003220285.tif 000005
【図４】
0003220285.tif 000006
【図５】
0003220285.tif 000007
【図６】
0003220285.tif 000008